(57)【要約】【課題】筐体の上部を開閉するスキャナーに設けられたパネルをチルトさせたままスキャナーを開くと、パネルが見え難く操作性が低下する場合がある。【解決手段】プリンター１は、パネルユニット１３を第１姿勢にすることで、スキャナーユニット４が閉状態から開くことを許容する回動許容状態となり、パネルユニット１３を第１姿勢から、第１姿勢よりも原稿台３２に対して平行に近い姿勢である第２姿勢にチルトさせることでスキャナーユニット４が閉状態から開くことを規制する規制状態となる規制手段４０と、スキャナーユニット４を閉状態にすることでパネルユニット１３の姿勢を第１姿勢から第２姿勢に向けてチルト可能にするチルト可能状態となり、スキャナーユニット４を閉状態から開く方向に回動させることでパネルユニット１３の姿勢を第１姿勢に保持する姿勢保持状態となる姿勢保持手段５０とを備える。【選択図】図８
2020156035.tif 000002
【特許請求の範囲】
【請求項１】
媒体に記録を行う記録部と、
前記記録部を内部に備える筐体と、
原稿を載置する原稿台及び前記原稿台に載置された原稿を読み取る読み取り手段を備えるとともに前記筐体に対して回動可能に設けられ、回動することにより前記筐体の上部を開閉可能なスキャナーユニットと、
前記スキャナーユニットの自由端に設けられ、第１姿勢と、前記第１姿勢よりも前記原稿台に対して平行に近い姿勢である第２姿勢との間でチルト可能なパネルユニットと、
前記スキャナーユニットが前記筐体に対して閉じた閉状態から開く方向に回動することを規制する規制状態と、前記スキャナーユニットが前記閉状態から開く方向に回動することを許容する回動許容状態と、を切り換え可能であり、前記パネルユニットを前記第１姿勢にすることで前記回動許容状態となり、前記パネルユニットを前記第１姿勢から前記第２姿勢に向けてチルトさせることで前記規制状態となる規制手段と、
前記スキャナーユニットに対する前記パネルユニットの姿勢を前記第１姿勢に保持する姿勢保持状態と、前記スキャナーユニットに対する前記パネルユニットの姿勢を前記第１姿勢から前記第２姿勢に向けてチルト可能にするチルト可能状態と、を切り換え可能であり、前記スキャナーユニットを前記閉状態にすることで前記チルト可能状態となり、前記スキャナーユニットを前記閉状態から開く方向に回動させることで前記姿勢保持状態となる姿勢保持手段と、を備える、
ことを特徴とする記録装置。
【請求項２】
請求項１に記載の記録装置において、
前記規制手段は、前記パネルユニットに設けられ、前記パネルユニットの回動に追従して変位するフック部と、前記筐体に設けられ、前記フック部が掛かることで前記スキャナーユニットの前記筐体に対する回動を規制する規制部と、を備え、
前記パネルユニットが前記第１姿勢である場合に前記フック部が前記規制部から外れることで前記回動許容状態となり、前記パネルユニットが前記第１姿勢から前記第２姿勢に向けてチルトすることで前記フック部が前記規制部に掛かって前記規制状態となる、
ことを特徴とする記録装置。
【請求項３】
請求項１または請求項２に記載の記録装置において、
前記筐体及び前記スキャナーユニットのいずれか一方に設けられ、弾性変形可能な受け入れ部と、前記受け入れ部が設けられない前記筐体及び前記スキャナーユニットのいずれか一方に設けられ、前記受け入れ部を弾性変形させつつ当該受け入れ部に受け入れられる被受け入れ部と、を備え、前記スキャナーユニットが前記閉状態である場合に前記受け入れ部に前記被受け入れ部が受け入れられることで、前記パネルユニットを前記第１姿勢からチルトさせる力に抗して前記スキャナーユニットの前記閉状態を保持するスキャナー保持手段を備える、
ことを特徴とする記録装置。
【請求項４】
請求項１から請求項３のいずれか一項に記載の記録装置において、
前記姿勢保持手段は、
前記パネルユニットに設けられる凹部と、
前記スキャナーユニットに対して回動させることで前記凹部に対して挿抜可能な凸部を備える回動部材と、
前記回動部材を、前記凸部が前記凹部に挿入される方向に押圧する押圧部材と、
前記筐体に設けられ、前記スキャナーユニットが閉じた状態で前記回動部材と接触可能な接触部と、を備え、
前記スキャナーユニットが開いた状態の場合に、前記押圧部材の押圧力により前記凸部が前記凹部に挿入されて、前記パネルユニットが前記姿勢保持状態となり、
前記スキャナーユニットが開いた状態から閉じる際に、前記接触部が前記押圧部材の押圧力に抗して前記回動部材を回動させることで前記凸部が前記凹部から抜けて、前記パネルユニットが前記チルト可能状態となる、
ことを特徴とする記録装置。
【請求項５】
請求項１から請求項４のいずれか一項に記載の記録装置において、
前記記録部は、液体を吐出する記録ヘッドを備え、前記記録ヘッドから前記媒体に向けて前記液体を吐出することで記録を行う構成であり、
前記筐体は、前記液体を収容する液体収容部を内部に備え、
前記スキャナーユニットを開いた状態において、前記液体収容部に前記液体を補充可能に構成される、
ことを特徴とする記録装置。
【請求項６】
請求項５に記載の記録装置において、
前記記録部は、前記記録ヘッドを支持するとともに前記液体収容部を搭載可能なキャリッジを備える、
ことを特徴とする記録装置。
【発明の詳細な説明】
【技術分野】
【０００１】
本発明は、媒体への記録機能と原稿を読み取る読取機能との双方を備える記録装置に関する。
【背景技術】
【０００２】
プリンターに代表される記録装置には、媒体に記録を行う記録部を備える装置本体の上部にスキャナーユニットが設けられ、媒体への記録機能と原稿を読み取る読取機能との双方を備える複合機として構成されるものがある。  
【０００３】
このような記録装置には、一例として特許文献１に示されるように、所定の情報を表示する表示部や所定の情報を入力するボタン部を有する操作パネルを備え、ユーザーが操作し易いように操作パネルをチルト可能に構成されるものがある。特許文献１に記載の操作パネルは装置の側面に設けられ、矩形の操作パネルの上辺に沿ってチルト軸が設けられている。操作パネルは、操作面が上を向くように回動させることで傾斜姿勢にされるように構成されている。
【０００４】
また、複合機として構成される記録装置は、一例として特許文献２に示されるように、スキャナーユニットが装置本体の上部を開閉するように回動可能に構成され、スキャナーユニットを開くことで装置本体の内部を開放し、メンテナンス等を行えるように構成される場合がある。特許文献２に記載の複合機は、装置本体に対して回動するスキャナーユニットの自由端側に操作パネルを備えている。特許文献２に記載の複合機では、スキャナーユニットが回動する際、操作パネルはスキャナーユニットと一体となって変位する。
【先行技術文献】
【特許文献】
【０００５】
【特許文献１】特開２０１８−０５２００３号公報
【特許文献２】特開２０１４−１２０８６４号公報
【発明の概要】
【発明が解決しようとする課題】
【０００６】
特許文献２のように、装置本体に対して回動するスキャナーユニットに設けられた操作パネルが、特許文献１の操作パネルのように、操作面が上を向くように回動させることでチルト可能に構成されている場合、スキャナーユニットが装置本体に対して閉じた状態で操作パネルがチルト姿勢にされ、そのままスキャナーユニットが開かれる場合がある。    操作パネルがチルト姿勢の状態のままスキャナーユニットが開かれると、操作面がユーザーから見え難くなり、操作性が低下する場合がある。
【課題を解決するための手段】
【０００７】
上記課題を解決する本発明の記録装置は、媒体に記録を行う記録部と、前記記録部を内部に備える筐体と、原稿を載置する原稿台及び前記原稿台に載置された原稿を読み取る読み取り手段を備えるとともに前記筐体に対して回動可能に設けられ、回動することにより前記筐体の上部を開閉可能なスキャナーユニットと、前記スキャナーユニットの自由端に設けられ、第１姿勢と、前記第１姿勢よりも前記原稿台に対して平行に近い姿勢である第２姿勢との間でチルト可能なパネルユニットと、前記スキャナーユニットが前記筐体に対して閉じた閉状態から開く方向に回動することを規制する規制状態と、前記スキャナーユニットが前記閉状態から開く方向に回動することを許容する回動許容状態と、を切り換え可能であり、前記パネルユニットを前記第１姿勢にすることで前記回動許容状態となり、前記パネルユニットを前記第１姿勢から前記第２姿勢に向けてチルトさせることで前記規制状態となる規制手段と、前記スキャナーユニットに対する前記パネルユニットの姿勢を前記第１姿勢に保持する姿勢保持状態と、前記スキャナーユニットに対する前記パネルユニットの姿勢を前記第１姿勢から前記第２姿勢に向けてチルト可能にするチルト可能状態と、を切り換え可能であり、前記スキャナーユニットを前記閉状態にすることで前記チルト可能状態となり、前記スキャナーユニットを前記閉状態から開く方向に回動させることで前記姿勢保持状態となる姿勢保持手段と、を備える、ことを特徴とする。
【図面の簡単な説明】
【０００８】
【図１】第１実施形態に係るプリンターの外観斜視図。
【図２】第１実施形態に係るプリンターにおいてパネルユニットをチルト姿勢にした状態を示す斜視図。
【図３】第１実施形態に係るプリンターにおいてスキャナーユニットを完全に開いた状態を示す斜視図。
【図４】第１実施形態に係るプリンターにおいて、スキャナーユニットを完全に開き、キャリッジを液体収容部にインクを補充する際の位置に移動した状態を示す斜視図。
【図５】第１実施形態に係るプリンターの側断面図。
【図６】第１実施形態に係るプリンターにおいてスキャナーユニットの原稿台カバーを開いた状態を示す斜視図。
【図７】筐体の前面の要部拡大斜視図。
【図８】パネルユニットを後方から見た斜視図。
【図９】図８の要部拡大斜視図。
【図１０】パネルユニットが第１姿勢である状態を示す断面図。
【図１１】パネルユニットが第１姿勢からチルトした状態を示す断面図。
【図１２】第１実施形態に係るプリンターから原稿台カバーと枠部材を外した状態を示す斜視図。
【図１３】スキャナーユニットの要部拡大斜視図。
【図１４】スキャナーユニットが開いている場合の姿勢保持手段を示す正面図。
【図１５】スキャナーユニットが閉状態の場合の姿勢保持手段を示す正面図。
【図１６】スキャナーユニットが開いている場合の姿勢保持手段を示す断面図。
【図１７】スキャナーユニットが閉状態の場合の姿勢保持手段を示す断面図。
【図１８】第１実施形態に係るプリンターから原稿台カバー、枠部材、及びパネルユニットを外した状態を示す斜視図。
【図１９】スキャナー保持手段の拡大図。
【図２０】スキャナーユニット及びパネルユニットを下方から見た斜視図。
【発明を実施するための形態】
【０００９】
以下、本発明について概略的に説明する。  
第１の態様に係る記録装置は、媒体に記録を行う記録部と、前記記録部を内部に備える筐体と、原稿を載置する原稿台及び前記原稿台に載置された原稿を読み取る読み取り手段を備えるとともに前記筐体に対して回動可能に設けられ、回動することにより前記筐体の上部を開閉可能なスキャナーユニットと、前記スキャナーユニットの自由端に設けられ、第１姿勢と、前記第１姿勢よりも前記原稿台に対して平行に近い姿勢である第２姿勢との間でチルト可能なパネルユニットと、前記スキャナーユニットが前記筐体に対して閉じた閉状態から開く方向に回動することを規制する規制状態と、前記スキャナーユニットが前記閉状態から開く方向に回動することを許容する回動許容状態と、を切り換え可能であり、前記パネルユニットを前記第１姿勢にすることで前記回動許容状態となり、前記パネルユニットを前記第１姿勢から前記第２姿勢に向けてチルトさせることで前記規制状態となる規制手段と、前記スキャナーユニットに対する前記パネルユニットの姿勢を前記第１姿勢に保持する姿勢保持状態と、前記スキャナーユニットに対する前記パネルユニットの姿勢を前記第１姿勢から前記第２姿勢に向けてチルト可能にするチルト可能状態と、を切り換え可能であり、前記スキャナーユニットを前記閉状態にすることで前記チルト可能状態となり、前記スキャナーユニットを前記閉状態から開く方向に回動させることで前記姿勢保持状態となる姿勢保持手段と、を備える、ことを特徴とする。
【００１０】
本態様によれば、前記スキャナーユニットが前記筐体に対して閉じた閉状態から開く方向に回動することを規制する規制状態と、前記スキャナーユニットが前記閉状態から開く方向に回動することを許容する回動許容状態と、を切り換え可能であり、前記パネルユニットを前記第１姿勢にすることで前記回動許容状態となり、前記パネルユニットを前記第１姿勢から前記第２姿勢に向けてチルトさせることで前記規制状態となる規制手段を備えるので、前記パネルユニットが前記第１姿勢にされている場合に前記スキャナーユニットを前記閉状態から回動させることでき、前記パネルユニットが前記第１姿勢から前記第２姿勢に向けてチルトした場合には前記スキャナーユニットの前記閉状態からの回動を規制することができる。したがって、パネルユニットがチルト姿勢のまま前記スキャナーユニットが開かれて、パネル面がユーザーから見え難くなり、操作性が低下することを回避することができる。
【００１１】
また、前記スキャナーユニットに対する前記パネルユニットの姿勢を前記第１姿勢に保持する姿勢保持状態と、前記スキャナーユニットに対する前記パネルユニットの姿勢を前記第１姿勢から前記第２姿勢に向けてチルト可能にするチルト可能状態と、を切り換え可能であり、前記スキャナーユニットを前記閉状態にすることで前記チルト可能状態となり、前記スキャナーユニットを前記閉状態から開く方向に回動させることで前記姿勢保持状態となる姿勢保持手段を備えるので、前記スキャナーユニットが開いている場合に、前記パネルユニットが前記第１姿勢に保持されて、前記スキャナーユニットが開いている場合におけるパネル面の良好な視認性及び操作性を維持することができる。
【００１２】
第２の態様は、第１の態様において、前記規制手段は、前記パネルユニットに設けられ、前記パネルユニットの回動に追従して変位するフック部と、前記筐体に設けられ、前記フック部が掛かることで前記スキャナーユニットの前記筐体に対する回動を規制する規制部と、を備え、前記パネルユニットが前記第１姿勢である場合に前記フック部が前記規制部から外れることで前記回動許容状態となり、前記パネルユニットが前記第１姿勢から前記第２姿勢に向けてチルトすることで前記フック部が前記規制部に掛かって前記規制状態となる、ことを特徴とする。  
本態様によれば、構成簡単にして前記規制手段を形成することができる。
【００１３】
第３の態様は、第１の態様または第２の態様において、前記筐体及び前記スキャナーユニットのいずれか一方に設けられ、弾性変形可能な受け入れ部と、前記受け入れ部が設けられない前記筐体及び前記スキャナーユニットのいずれか一方に設けられ、前記受け入れ部を弾性変形させつつ当該受け入れ部に受け入れられる被受け入れ部と、を備え、前記スキャナーユニットが前記閉状態である場合に前記受け入れ部に前記被受け入れ部が受け入れられることで、前記パネルユニットを前記第１姿勢からチルトさせる力に抗して前記スキャナーユニットの前記閉状態を保持するスキャナー保持手段を備える、ことを特徴とする。
【００１４】
本態様によれば、前記スキャナー保持手段を備えるので、前記パネルユニットを前記第１姿勢からチルトさせる力で前記スキャナーユニットが開くことを回避できる。
【００１５】
第４の態様は、第１の態様から第３の態様のいずれかにおいて、前記姿勢保持手段は、前記パネルユニットに設けられる凹部と、前記スキャナーユニットに対して回動させることで前記凹部に対して挿抜可能な凸部を備える回動部材と、前記回動部材を、前記凸部が前記凹部に挿入される方向に押圧する押圧部材と、前記筐体に設けられ、前記スキャナーユニットが閉じた状態で前記回動部材と接触可能な接触部と、を備え、前記スキャナーユニットが開いた状態の場合に、前記押圧部材の押圧力により前記凸部が前記凹部に挿入されて、前記パネルユニットが前記姿勢保持状態となり、前記スキャナーユニットが開いた状態から閉じる際に、前記接触部が前記押圧部材の押圧力に抗して前記回動部材を回動させることで前記凸部が前記凹部から抜けて、前記パネルユニットが前記チルト可能状態となる、ことを特徴とする。
【００１６】
本態様によれば、前記スキャナーユニットの開閉に連動して前記パネルユニットの前記姿勢保持状態と前記チルト可能状態とを切り換える前記姿勢保持手段を、構成簡単にして形成することができる。
【００１７】
第５の態様は、第１の態様から第４の態様のいずれかにおいて、前記記録部は、液体を吐出する記録ヘッドを備え、前記記録ヘッドから前記媒体に向けて前記液体を吐出することで記録を行う構成であり、前記筐体は、前記液体を収容する液体収容部を内部に備え、前記スキャナーユニットを開いた状態において、前記液体収容部に前記液体を補充可能に構成される、ことを特徴とする。
【００１８】
本態様によれば、第１の態様から第４の態様のいずれかと同様の作用効果が得られることに加え、前記液体収容部に前記液体を補充するに当たり、良好な操作性でスキャナーユニットを開くことができる。
【００１９】
第６の態様は、第５の態様において、前記記録部は、前記記録ヘッドを支持するとともに前記液体収容部を搭載可能なキャリッジを備える、ことを特徴とする。
【００２０】
本態様によれば、前記液体収容部が前記記録ヘッドを支持する前記キャリッジに搭載される構成の記録装置において、第５の態様と同様の作用効果が得られる。
【００２１】
［第１実施形態］
以下、図を参照して、本発明の一実施形態に係る記録装置の概略について説明する。本実施形態において、記録装置の一例としてインクジェットプリンター１を挙げる。インクジェットプリンター１は、以下、単にプリンター１と称するものとする。  
尚、各図において示すＸ−Ｙ−Ｚ座標系はＸ軸方向が装置幅方向、Ｙ軸方向が装置奥行き方向、Ｚ軸方向が装置高さ方向を示している。また、＋Ｙ方向を装置前方とし、−Ｙ方向を装置後方とする。また、装置前方から見て左を＋Ｘ方向、右を−Ｘ方向とする。また、＋Ｚ方向を上方とし、−Ｚ方向側を下方とする。  
また、プリンター１において媒体が搬送されていく搬送方向を「下流」といい、これと反対の方向を「上流」という。
【００２２】
＜プリンターの概要＞
図１に示されるプリンター１は、媒体に記録を行う記録部８を内部に備える筐体２と、筐体２の上部に設けられ、原稿の画像を読み取るスキャナーユニット４を備えている。即ちプリンター１は、記録機能に加えて画像読取機能を備える複合機として構成されている。  
プリンター１において、記録が行われる媒体としては、例えば、普通紙の他、普通紙よりも厚いハガキや名刺等の厚紙、普通紙よりも薄い薄紙、写真用の光沢紙等の用紙が挙げられる。また、プリンター１は、ＣＤやＤＶＤのようなディスク型メモリーのラベル面への記録も可能に構成されている。
【００２３】
プリンター１において、記録部８は、液体としてのインクを吐出する記録ヘッド１０と、記録ヘッド１０を支持するキャリッジ２０とを備え、記録ヘッド１０から媒体Ｐに向けてインクを吐出することで記録を行うように構成されている。
【００２４】
スキャナーユニット４は、筐体２に対して回動可能に設けられ、回動することにより筐体２の上部を開閉可能に構成されている。図１には、スキャナーユニット４が筐体２に対して閉じた閉状態が表されており、図３にはスキャナーユニット４が筐体２に対して完全に開いた状態を示している。
【００２５】
図１において、プリンター１の装置前方である＋Ｙ方向には、操作部６を備えるパネルユニット１３が設けられている。操作部６は、記録や画像読み取りのための各種設定操作や実行操作の他、設定内容や画像のプレビュー表示などを行うことができる。  
パネルユニット１３はスキャナーユニット４に設けられ、図１に示されるように、パネル面としての操作面６ａが前方を向く状態から、図２に示されるように、操作面６ａが図１の状態よりも上を向く方向にチルト可能に構成されている。  
スキャナーユニット４及びパネルユニット１３の構成については後で詳しく説明する。
【００２６】
筐体２の前面２ａの下部には、下部カバー７が設けられている。尚、筐体２の前面２ａは図１では見えていないが、図２及び図３に示されている。  
下部カバー７を図５において点線で示すように開くことにより、記録前の媒体Ｐを収容する媒体トレイ１１と、記録後に排出される媒体を受ける排出トレイ１２が露呈するように構成されている。
【００２７】
排出トレイ１２は、図５において実線で示されるように筐体２に収納された収納状態と、図５において点線で示されるように筐体２の前方側に突出した突出状態と、を切換可能に構成されており、突出状態で記録後の媒体を受けることができる。排出トレイ１２は、不図示のモーターによって収納状態と突出状態とを切り換え可能に構成されている。
【００２８】
媒体トレイ１１には複数枚の媒体Ｐを収容可能であり、筐体２に対して着脱可能となっている。媒体トレイ１１は、図５に示されるように筐体２に装着された状態で、媒体Ｐを後述する媒体搬送経路Ｔに送り出すことができるようになっている。また、媒体トレイ１１は、前方（＋Ｙ方向）に引き出した状態で媒体Ｐを補充することができる。
【００２９】
＜プリンターにおける媒体搬送経路について＞
続いて、図５を参照しつつプリンター１における媒体搬送経路Ｔについて説明する。  
媒体搬送経路Ｔは、プリンター１の装置下部に設けられる媒体トレイ１１から記録部８による記録領域に向けて搬送される媒体Ｐの搬送経路である。  
媒体トレイ１１にセットされた媒体Ｐは、給送ローラー１６によってピックアップされて媒体搬送経路Ｔに送り出される。より具体的には、不図示の駆動源によって回転駆動される給送ローラー１６は、揺動軸１９ａを中心に揺動するローラー支持部材１９に設けられており、媒体トレイ１１に収容された複数の媒体Ｐの最上位のものと接して回転することにより、その最上位の媒体Ｐを媒体トレイ１１から装置後方（−Ｙ方向）に送り出す。
【００３０】
給送ローラー１６の下流には、不図示の駆動源によって回転駆動される中間ローラー１７が設けられており、この中間ローラー１７によって媒体Ｐは湾曲反転させられ、装置前方（＋Ｙ方向）へと送られる。尚、符号１８ａ、１８ｂ、１８ｃ、１８ｄは中間ローラー１７に従動回転可能な従動ローラーであり、媒体は、従動ローラー１８ａと中間ローラー１７とによってニップされ、続いて従動ローラー１８ｂと中間ローラー１７とによってニップされ、更に従動ローラー１８ｃと中間ローラー１７とによってニップされて、下流へと送られる。従動ローラー１８ｄについては後で説明する。
【００３１】
中間ローラー１７の下流には、搬送ローラー対２１が設けられており、搬送ローラー対２１によって媒体が記録ヘッド１０の下方へと送られる。搬送ローラー対２１は、図５において、下側のローラーが不図示の駆動源により回転駆動され、上側のローラーが下側のローラーに従動回転する。
【００３２】
搬送ローラー対２１の下流には、記録部８が設けられている。記録部８において、インクを吐出する記録ヘッド１０は、キャリッジ２０の底部に設けられている。キャリッジ２０には、記録ヘッド１０に供給するインクを収容する液体収容部２４が搭載されている。言い換えると、筐体２は、液体収容部２４を内部に備えている。  
キャリッジ２０は図示しない駆動源によって装置幅方向（Ｘ軸方向）に往復移動可能に構成されている。  
記録ヘッド１０と対向する位置には、媒体搬送経路Ｔを搬送される媒体を支持する媒体支持部材２３が設けられ、媒体支持部材２３によって、媒体と記録ヘッド１０との間隔が規定される。媒体と記録ヘッド１０との間隔は、ギャップとも言う。
【００３３】
媒体支持部材２３の下流には排出ローラー対２２が設けられている。排出ローラー対２２も、搬送ローラー対２１と同様に、下側のローラーが不図示の駆動源により回転駆動され、上側のローラーが下側のローラーに従動回転するように構成されている。記録部８による記録後の媒体Ｐは、排出ローラー対２２により、図５において点線で示されるように突出状態にされた排出トレイ１２に向けて排出される。
【００３４】
尚、プリンター１は、媒体Ｐの第１面と、その反対面の第２面に記録を行う両面記録を実行可能に構成されている。両面記録を行う場合には、第１面への記録後、媒体Ｐをスイッチバックさせて−Ｙ方向に送る。スイッチバックされた媒体Ｐは、従動ローラー１８ｄと中間ローラー１７とによってニップされて、媒体搬送経路Ｔに合流させることができる。媒体Ｐは中間ローラー１７によって反転され、第２面が記録ヘッド１０と対向した状態で記録ヘッド１０の下方に搬送され、第２面への記録が行われる。
【００３５】
また、プリンター１は、記録が行われる媒体Ｐを装置後方の上部に設けられる上部供給口９からも供給可能に構成されている。上部供給口９は、給送口カバー３を開くことで開放される。上部供給口９から供給された媒体Ｐは、搬送ローラー対２１の上流から媒体搬送経路Ｔに入り、記録ヘッド１０による記録が行われる。
【００３６】
＜スキャナーユニットについて＞
プリンター１において、スキャナーユニット４は、図３に示されるように筐体２の上部に対して回動可能に設けられている。スキャナーユニット４は、装置後方、すなわち−Ｙ方向に回動軸を有し、装置前方、すなわち＋Ｙ方向を自由端４ａとして回動し、筐体２の上部を開閉可能に構成されている。
【００３７】
スキャナーユニット４は、図５に示すように、原稿を読み取る読み取り手段としての読取部３１を内部に備えるスキャナー本体３０と、原稿を載置する原稿台３２と、原稿台３２を開閉可能な原稿台カバー５を備えている。原稿台カバー５を図６のように開くと、原稿台３２が露呈する。読取部３１は、原稿台３２に載置された原稿を読み取る。原稿は、読み取り面を原稿台３２と対向させるようにして原稿台３２に載置される。
【００３８】
スキャナーユニット４において、原稿台３２は、図５及び図６に示されるようにスキャナー本体３０の上に配置され、枠部材３８によって四辺の外周が押さえられている。
【００３９】
原稿台カバー５において、閉じた際に原稿台３２と対向する面には、図６に示されるように、原稿を押さえる押さえ板３３が設けられている。  
尚、パネルユニット１３はスキャナー本体３０に設けられており、原稿台カバー５は単体で開閉することができる。
【００４０】
＜パネルユニットについて＞
パネルユニット１３は、前述のようにスキャナーユニット４のスキャナー本体３０に対して回動可能に設けられている。より具体的には、図１に示される第１姿勢と、図２に示されるように第１姿勢よりも原稿台３２（図６を参照）に対して平行に近い姿勢である第２姿勢との間でチルト可能に構成されている。スキャナーユニット４が閉じている場合、第１姿勢のスキャナーユニット４は、操作面６ａが筐体２の前方の側面、すなわち前面２ａ（図２を参照）に沿っている。パネルユニット１３を第１姿勢（図１を参照）から第２姿勢（図２を参照）にする場合、パネルユニット１３は操作面６ａが上を向く方向にチルトされる。  
本実施形態において、パネルユニット１３は、図１に示す第１姿勢の状態を０°として、操作面６ａが上を向く方向に８０°までチルト可能に構成されている。図２は、パネルユニット１３が傾斜角８０°でチルトした状態を示している。
【００４１】
また、プリンター１において、パネルユニット１３は、スキャナーユニット４の自由端４ａに設けられている。このことにより、スキャナーユニット４の回動方向とパネルユニット１３の回動方向とが同じとなり、ユーザーがパネルユニット１３を正面視した状態でのプリンター１の操作性が良好となる。
【００４２】
ここで、例えば図２に示されるようにスキャナーユニット４が筐体２に対して閉じた状態でパネルユニット１３がチルト姿勢にされ、そのままスキャナーユニット４が開かれると、操作面６ａがユーザーから見え難くなり、操作性が低下する場合がある。
【００４３】
これを回避するため、本実施形態のプリンター１は、図１０及び図１１に示される規制手段４０と、図１４及び図１５に示される姿勢保持手段５０とを備えている。  
規制手段４０は、スキャナーユニット４が筐体２に対して閉じた閉状態から開く方向に回動することを規制する規制状態と、スキャナーユニット４が閉状態から開く方向に回動することを許容する回動許容状態と、を切り換え可能であり、パネルユニット１３を第１姿勢にすることで回動許容状態となり、パネルユニット１３を第１姿勢から第２姿勢に向けてチルトさせることで前記規制状態となる構成である。
【００４４】
姿勢保持手段５０は、スキャナーユニット４に対するパネルユニット１３の姿勢を第１姿勢に保持する姿勢保持状態と、スキャナーユニット４に対するパネルユニット１３の姿勢を第１姿勢から第２姿勢に向けてチルト可能にするチルト可能状態と、を切り換え可能であり、スキャナーユニット４を閉状態にすることでチルト可能状態となり、スキャナーユニット４を閉状態から開く方向に回動させることで姿勢保持状態となる構成である。
【００４５】
言い換えると、パネルユニット１３が図１に示す第１姿勢の場合にのみ、図３に示されるようにスキャナーユニット４が閉状態から開く方向に回動できるようにするための規制手段４０と、スキャナーユニット４が開いた図３の状態で、パネルユニット１３を第１姿勢に保持する姿勢保持手段５０とを備えている。
【００４６】
規制手段４０を備えることにより、パネルユニット１３が第１姿勢にされている場合にのみスキャナーユニット４が開かれる構成とすることができる。以って、パネルユニット１３がチルト姿勢のままスキャナーユニット４が開かれて、操作面６ａがユーザーから見え難くなり、操作性が低下することを回避することができる。
【００４７】
また、姿勢保持手段５０を備えることにより、スキャナーユニット４が開いている際にパネルユニット１３の姿勢が第１姿勢に保持されて、操作面６ａの良好な視認性及び操作性が維持される。また、パネルユニット１３は、スキャナーユニット４が閉状態の場合にのみチルト可能であるので、スキャナーユニット４が開いた状態でパネルユニット１３を回動させようとしてスキャナーユニット４が不用意に閉じてしまう虞を低減できる。  
以下、図を参照して、規制手段４０と姿勢保持手段５０の具体的な構成について説明する。
【００４８】
＜規制手段について＞
本実施形態において、規制手段４０は、図８及び図９に示されるようにパネルユニット１３に設けられ、パネルユニット１３の回動に追従して変位するフック部４１と、図７に示されるように筐体２の前面２ａに設けられ、図１１に示されるようにフック部４１が掛かることでスキャナーユニット４の筐体２体に対する回動を規制する規制部４２と、を備えている。フック部４１は、パネルユニット１３の裏面に設けられている。また、図８において、符号１３ａは、スキャナーユニット４のスキャナー本体３０に設けられる不図示の軸部を受ける軸受け１３ａである。軸受け１３ａに受けられる軸部がパネルユニット１３の回動中心となる。規制手段４０としてのフック部４１は、パネルユニット１３の幅方向（Ｘ軸方向）において、端部よりも中央部Ｃに近い位置に１つ設けられている。規制部４２は、図３に示される筐体２の幅方向において、フック部４１に対応する位置に１つ設けられている。
【００４９】
フック部４１は、図９及び図１０に示されるように、パネルユニット１３の上部から延設されて、下方に開口部４１ａを有するように形成されている。  
図１０には、スキャナーユニット４が閉状態であり、パネルユニット１３が第１姿勢である状態が示されている。このとき、フック部４１の開口部４１ａは規制部４２の下方に位置しており、スキャナーユニット４を開く方向に回動させた際に、フック部４１が規制部４２に干渉しない状態、すなわち、フック部４１が規制部４２から外れた状態になっている。したがって、この状態ではスキャナーユニット４を開くことができる。
【００５０】
図１１には、スキャナーユニット４が閉状態であり、パネルユニット１３が第１姿勢から回動したチルト姿勢の状態が示されている。パネルユニット１３がチルトすると、図１１に示されるようにフック部４１が規制部４２に掛かり、スキャナーユニット４を開く方向に回動させた際にフック部４１が規制部４２に干渉するため、スキャナーユニット４の回動が規制される。したがって、スキャナーユニット４を開くことができない。
【００５１】
すなわち、規制手段４０は、パネルユニット１３が第１姿勢である場合にフック部４１が規制部４２から外れることでスキャナーユニット４の回動を許容する回動許容状態となり、パネルユニット１３が第１姿勢から第２姿勢に向けてチルトすることでフック部４１が規制部４２に掛かり、スキャナーユニット４の回動を規制する規制状態となる。  
以上のような構成により、規制手段４０を構成簡単にして形成することができる。
【００５２】
＜姿勢保持手段について＞
姿勢保持手段５０は、図８及び図９に示される凹部５１と、図１３に示される回動部材５２と押圧部材５３と、図７に示される接触部５４と、を備えている。  
凹部５１は、図８及び図９に示されるように、パネルユニット１３の裏面に＋Ｘ方向が開口するように設けられている。
【００５３】
図１３に示される回動部材５２は、スキャナーユニット４のスキャナー本体３０に対して回動する回動軸５２ｂ（図１２も参照）を備え、回動させることで凹部５１に対して挿抜可能な凸部５２ａを備えている。図１４及び図１６は、凸部５２ａが凹部５１に挿入された状態であり、図１５及び図１７は、凸部５２ａが凹部５１から抜けた状態を示している。尚、図１２には、スキャナーユニット４に設けられた回動軸５２ｂを見易くするため、プリンター１から枠部材３８及び原稿台カバー５が取り外された状態が示されている。
【００５４】
図１３に示される押圧部材５３は、回動部材５２を、図１４に示すように凸部５２ａが凹部５１に挿入される矢印＋Ａ方向に押圧している。押圧部材５３としては、一例として捻りコイルバネを用いることができる。接触部５４は、図７に示されるように筐体２の前面２ａの上部に設けられており、スキャナーユニット４が閉じた状態で回動部材５２と接触可能に配置されている。
【００５５】
そして、姿勢保持手段５０は、スキャナーユニット４が開いた状態の場合に、押圧部材５３の押圧力により回動部材５２の凸部５２ａが凹部５１に挿入され、パネルユニット１３が第１姿勢に保持される姿勢保持状態となり、スキャナーユニット４が開いた状態から閉じる際に、接触部５４が回動部材５２に接触し、押圧部材５３の押圧力に抗して回動部材５２を図１４に示す矢印−Ａ方向に回動させることで、凸部５２ａが凹部５１から抜けて、パネルユニット１３がチルト可能状態となる構成である。
【００５６】
図１４及び図１６に示されるように、回動部材５２の凸部５２ａが凹部５１に挿入されていると、パネルユニット１３を上方に回動させようとした場合に、凸部５２ａが図１６に示す凹部５１の規制面５１ａに干渉するので、パネルユニット１３の回動が規制される。したがって、パネルユニット１３を第１姿勢に保持することができる。  
図１５及び図１７に示されるように、回動部材５２の凸部５２ａが凹部５１から抜けると、パネルユニット１３を上方に回動させても凸部５２ａと規制面５１ａとが干渉しなくなるので、パネルユニット１３をチルトさせることができる。すなわち、パネルユニット１３がチルト可能状態となる。
【００５７】
以上のような構成により、スキャナーユニット４の開閉に連動してパネルユニット１３の姿勢保持状態とチルト可能状態とを切り換える姿勢保持手段５０を、構成簡単にして形成することができる。
【００５８】
また、プリンター１には、スキャナーユニット４の閉状態を保持するスキャナー保持手段６０が、図１８及び図１９に示されるように設けられている。  
スキャナー保持手段６０は、図１９に示されるように、筐体２に設けられ、弾性変形可能な受け入れ部６１（図７も参照）と、スキャナーユニット４に設けられ、受け入れ部６１を弾性変形させつつ受け入れ部６１に受け入れられる被受け入れ部６２と、を備えている。スキャナー保持手段６０は、スキャナーユニット４が閉状態である場合に、図１８及び図１９に示されるように受け入れ部６１に被受け入れ部６２が受け入れられることで、パネルユニット１３を第１姿勢からチルトさせる力に抗してスキャナーユニット４の閉状態を保持する構成である。
【００５９】
パネルユニット１３がスキャナーユニット４に設けられていると、パネルユニット１３を第１姿勢からチルトさせようとする上向きの力でスキャナーユニット４が開くことがある。スキャナー保持手段６０を備えることにより、パネルユニット１３をチルトさせる際に不用意にスキャナーユニット４が開くことを回避できる。
【００６０】
尚、被受け入れ部６２は、受け入れ部６１が設けられない筐体２及びスキャナーユニット４のいずれか一方に設けられていればよく、例えばスキャナーユニット４に受け入れ部６１を設け、筐体２に被受け入れ部６２を設けることも可能である。
【００６１】
＜規制手段または姿勢保持手段の変更例＞
尚、規制手段４０は、幅方向（Ｘ軸方向）に複数設けることができる。例えば、図８に示されるパネルユニット１３の幅方向の中央部Ｃを挟むように２つのフック部４１を設け、筐体２の幅方向においてフック部４１に対応する位置に、２つの規制部４２を設けることができる。複数の規制手段４０を設けることにより、スキャナーユニット４の回動をより確実に抑制できる。
【００６２】
また、規制手段４０はフック部４１と規制部４２とを備える構成に限られず、例えば、規制手段が、スキャナーユニットに設けられた穴に対して進退するロックピンと、このロックピンを進退させるソレノイドと、ソレノイドを制御する制御部を備える構成とすることができる。また、パネルユニットの開き角を検出するエンコーダーを備える構成とすることができる。制御部は、パネルユニット１３が第１姿勢の状態ではロックピンをスキャナーユニットの穴に嵌合させ、ロックし、規制状態とする。また、パネルユニット１３がチルト姿勢になると、ロックピンを穴から抜いてロック解除し、回動許容状態とする。
【００６３】
また、姿勢保持手段５０において、押圧部材５３及び接触部５４を省略し、回動部材５２を回動させるモーターと、モーターを制御する制御部とによって、回動部材５２を回動させて、凹部５１に対する凸部５２ａの挿抜を切り換える構成とすることもできる。
【００６４】
＜液体収容部について＞
プリンター１において、図３に示されるキャリッジ２０に搭載される液体収容部２４には、記録を行うことによって減ったインクを補充することができる。  
プリンター１は、図３のようにスキャナーユニット４を開いた状態において、液体収容部２４にインクを補充可能に構成されている。
【００６５】
キャリッジ２０には、複数の色に対応する複数の液体収容部２４が搭載されている。各液体収容部２４の上部には、図４に示されるインク供給口２５を閉じるキャップ２６が設けられている。図４には、図を正面視して一番左の液体収容部２４のキャップ２６が開いた状態が示されている。キャップ２６は、装置後方（−Ｙ方向）を軸として回動することによりインク供給口２５を開閉する。インク供給口２５からインクを液体収容部２４に注入することができる。
【００６６】
図３において、キャリッジ２０はホームポジションに位置している。ホームポジションは、キャリッジ２０の移動領域の一方の端に設けられており、本実施形態においては−Ｘ方向の端に設定されている。  
筐体２の−Ｘ方向の前方には庇部材１４が設けられており、キャリッジ２０がホームポジションに位置する場合に、キャップ２６が閉じられた状態の液体収容部２４が庇部材１４の下方に位置するようになっている。庇部材１４によって、キャップ２６が確実に閉まった状態でキャリッジ２０をホームポジションに位置させることができる。
【００６７】
庇部材１４があるため、キャリッジ２０がホームポジションに位置する際には液体収容部２４のキャップ２６を開くことができない。液体収容部２４にインクを補充する場合には、例えば操作部６においてインク補充モードを選択することで、図４に示されるように庇部材１４によってキャップ２６が覆われない位置にキャリッジ２０を移動させることができる。
【００６８】
本実施形態においては、前述した規制手段４０及び姿勢保持手段５０により、スキャナーユニット４を開いた状態において、操作部６の操作面６ａをユーザーが見易い角度でパネルユニット１３が保持される。したがって、液体収容部２４にインクを補充する際の良好な操作性を確保することができる。
【００６９】
図３に示されるように、筐体２の前面２ａには切り欠き部１５が設けられている。液体収容部２４の＋Ｙ方向の側面には、内部のインク量を視認可能な窓部２７が設けられており、インク補充モードでは、図４に示されるようにキャリッジ２０がＸ軸方向において切り欠き部１５と重なる位置まで移動される。このことにより、液体収容部２４の中のインク量を確認しながらインクを補充することができる。  
インクの補充が完了したら、例えば操作部６においてインク補充モードを終了することでキャリッジ２０がホームポジションに戻されるように構成することができる。また、スキャナーユニット４が筐体２に対して閉じられたことを検出し、これをトリガーとしてキャリッジ２０をホームポジションに戻す構成とすることもできる。
【００７０】
また、スキャナーユニット４には、図１８のようにスキャナーユニット４の閉状態において切り欠き部１５を塞ぐカバー部材２９が設けられている。尚、図１８には、プリンター１から枠部材３８、原稿台カバー５、及びパネルユニット１３が取り外された状態が示されている。カバー部材２９は、図２０に示されるように、パネルユニット１３の後方（−Ｙ方向）に位置するようにスキャナーユニット４に設けられている。  
カバー部材２９が設けられていることにより、スキャナーユニット４の閉状態において切り欠き部１５がカバー部材２９によって覆われるので、プリンター１において記録が行われた際に発生するインクミストがパネルユニット１３の裏面に付着することを抑制することができる。
【００７１】
以上、本発明の一実施形態について説明したが、本発明は上記実施形態に限定されることなく、特許請求の範囲に記載した発明の範囲内で種々の変形が可能であり、それらも本発明の範囲内に含まれるものであることは言うまでもない。
【符号の説明】
【００７２】
１…インクジェットプリンター（記録装置）、２…筐体、３…給送口カバー、４…スキャナーユニット、５…原稿台カバー、６…操作部、６ａ…操作面（パネル面）、７…下部カバー、８…記録部、９…上部供給口、１０…記録ヘッド、１１…媒体トレイ、１２…排出トレイ、１３…パネルユニット、１４…庇部材、１５…切り欠き部、１６…給送ローラー、１７…中間ローラー、１８ａ、１８ｂ、１８ｃ、１８ｄ…従動ローラー、１９…ローラー支持部材、１９ａ…揺動軸、２０…キャリッジ、２１…搬送ローラー対、２２…排出ローラー対、２３…媒体支持部材、２４…液体収容部、２５…インク供給口、２６…キャップ、２７…窓部、２９…カバー部材、３０…スキャナー本体、３１…読取部（読み取り手段）、３２…原稿台、３３…押さえ板、３８…枠部材、４０…規制手段、４１…フック部、４１ａ…開口部、４２…規制部、５０…姿勢保持手段、５１…凹部、５１ａ…規制面、５２…回動部材、５２ａ…凸部、５２ｂ…回動軸、５３…押圧部材、５４…接触部、６０…スキャナー保持手段、６１…受け入れ部、６２…被受け入れ部、Ｐ…媒体
【図１】
2020156035.tif 000003
【図２】
2020156035.tif 000004
【図３】
2020156035.tif 000005
【図４】
2020156035.tif 000006
【図５】
2020156035.tif 000007
【図６】
2020156035.tif 000008
【図７】
2020156035.tif 000009
【図８】
2020156035.tif 000010
【図９】
2020156035.tif 000011
【図１０】
2020156035.tif 000012
【図１１】
2020156035.tif 000013
【図１２】
2020156035.tif 000014
【図１３】
2020156035.tif 000015
【図１４】
2020156035.tif 000016
【図１５】
2020156035.tif 000017
【図１６】
2020156035.tif 000018
【図１７】
2020156035.tif 000019
【図１８】
2020156035.tif 000020
【図１９】
2020156035.tif 000021
【図２０】
2020156035.tif 000022